Podtech/llm-jp-corpus-v4-ja_patent huggingface dataset:
【手続補正書】
【提出日】平成29年5月9日(2017.5.9)
【手続補正１】
【補正対象書類名】特許請求の範囲
【補正対象項目名】全文
【補正方法】変更
【補正の内容】
【特許請求の範囲】
【請求項１】
Ｘ線照射による線量情報を取得する線量計測部と、
前記線量情報に基づいて、前記Ｘ線照射に関する複数の撮影にそれぞれ対応する複数の面積線量を示す線量グラフを発生する線量グラフ発生部と、
前記線量情報に含まれる前記撮影に対応する複数の撮影方式各々に応じて、前記線量グラフの表示態様を設定する表示態様設定部と、
前記設定された表示態様を伴って前記線量グラフを出力する出力部と、
を具備する医用線量情報管理装置。
【請求項２】
前記線量計測部は、前記線量情報を前記撮影に応じて逐次取得し、
前記線量グラフ発生部は、前記線量情報の逐次取得に応じて、前記線量グラフを逐次更新する請求項１に記載の医用線量情報管理装置。
【請求項３】
前記出力部は、前記線量グラフを表示するモニタを有する請求項１または請求項２に記載の医用線量情報管理装置。
【請求項４】
前記モニタは、前記線量グラフにおいて、前記撮影方式に対応する前記面積線量を時系列に沿って表示する請求項３に記載の医用線量情報管理装置。
【請求項５】
前記モニタは、前記線量グラフにおいて、前記撮影方式に対応する前記面積線量を前記撮影方式ごとに並べて表示する請求項３に記載の医用線量情報管理装置。
【請求項６】
前記出力部は、所定のネットワークを介して、前記線量グラフを他の医用装置へ出力する請求項１乃至５のうちいずれか一項に記載の医用線量情報管理装置。
【請求項７】
前記線量グラフにおける前記面積線量のうち少なくとも一つの面積線量を指定する入力部をさらに具備し、
前記モニタは、前記面積線量の指定を契機として、前記指定された面積線量に対応する前記Ｘ線照射に関するＸ線条件と、前記指定された面積線量の詳細情報とを、前記線量グラフとともに表示する請求項３乃至５のうちいずれか一項に記載の医用線量情報管理装置。
【請求項８】
前記撮影方式は、前記Ｘ線照射に対応するＸ線条件と、前記撮影の種類と、被検体に対する複数のＸ線照射部位と、前記被検体の撮影位置とのうち少なくとも一つにより規定され、
前記表示態様は、前記線量グラフにおける前記面積線量の表示において、前記撮影方式に応じた色相および形状である請求項１乃至７のうちいずれか一項に記載の医用線量情報管理装置。
【請求項９】
前記モニタは、前記線量グラフにおいて、前記撮影方式に対応する前記面積線量を、被検体に対する複数のＸ線照射部位ごとと前記被検体の身長に対する照射位置とのうち少なくとも一方に識別可能に表示する請求項３乃至５のうちいずれか一項に記載の医用線量情報管理装置。
【請求項１０】
前記モニタは、
前記面積線量を積算した総面積線量が所定の閾値を超えたとき、前記線量グラフにおいて、前記閾値の超過に寄与した前記撮影方式に対応する前記面積線量を示すバーの色相を、所定の色相に変更して表示する請求項３乃至５のうちいずれか一項に記載の医用線量情報管理装置。
【請求項１１】
前記モニタは、前記閾値を前記線量グラフに重畳させて、特定の色相で表示する請求項１０に記載の医用線量情報管理装置。
【請求項１２】
前記モニタは、前記撮影における前記面積線量の増加に伴って、前記総面積線量を逐次更新して表示する請求項１０または１１に記載の医用線量情報管理装置。
【請求項１３】
前記モニタは、前記閾値に対する前記総面積線量の割合に応じて、前記線量グラフにおける前記面積線量の表示態様を変更して表示する請求項１０乃至１２のうちいずれか一項に記載の医用線量情報管理装置。
【請求項１４】
前記モニタは、前記割合に応じて、前記線量グラフにおいて逐次更新される前記面積線量を示す前記バーの色相を変更して表示する請求項１３に記載の医用線量情報管理装置。
【請求項１５】
前記出力部は、前記割合が前記閾値を超えたとき、所定の通知を出力する請求項１３または請求項１４に記載の医用線量情報管理装置。
【請求項１６】
Ｘ線を発生するＸ線管と、
前記Ｘ線管によるＸ線照射における複数の撮影にそれぞれ対応する複数の面積線量を含む線量情報を取得する線量計測部と、
前記線量情報に基づいて、前記面積線量を示す線量グラフを発生する線量グラフ発生部と、
前記線量情報に含まれる前記撮影に対応する複数の撮影方式に応じて、前記線量グラフの表示態様を設定する表示態様設定部と、
前記設定された表示態様を伴って前記線量グラフを出力する出力部と、
を具備するＸ線診断装置。
【請求項１７】
Ｘ線照射による面積線量を含む線量情報を、複数の撮影各々に応じて逐次取得し、
前記線量情報に基づいて、前記Ｘ線照射における複数の撮影にそれぞれ対応する複数の面積線量を前記撮影の時系列に沿って示す線量グラフを発生し、
前記線量情報に含まれる前記撮影に対応する複数の撮影方式各々に応じて、前記線量グラフの表示態様を設定し、
前記線量情報の逐次取得に応じて、前記線量グラフを逐次更新し、
前記逐次更新された線量グラフを前記表示態様で表示する医用線量情報管理方法。
【請求項１８】
前記線量情報は、前記Ｘ線照射による面積線量を含む、
請求項１乃至１５のうちいずれか一項に記載の医用線量情報管理装置。
【手続補正２】
【補正対象書類名】明細書
【補正対象項目名】０００６
【補正方法】変更
【補正の内容】
【０００６】
本実施形態に係る医用線量情報管理装置は、Ｘ線照射による線量情報を取得する線量計測部と、前記線量情報に基づいて、前記Ｘ線照射に関する複数の撮影にそれぞれ対応する複数の面積線量を示す線量グラフを発生する線量グラフ発生部と、前記線量情報に含まれる前記撮影に対応する複数の撮影方式各々に応じて、前記線量グラフの表示態様を設定する表示態様設定部と、前記設定された表示態様を伴って前記線量グラフを出力する出力部と、を具備する。
【手続補正書】
【提出日】平成29年6月13日(2017.6.13)
【手続補正１】
【補正対象書類名】特許請求の範囲
【補正対象項目名】全文
【補正方法】変更
【補正の内容】
【特許請求の範囲】
【請求項１】
第１の基板上のトランジスタと、
前記トランジスタと電気的に接続したソース線と、
前記トランジスタ上の画素電極および第１のコモン電極と、
前記画素電極および前記第１のコモン電極上の液晶層と、
前記液晶層上の第２のコモン電極と、
前記第２のコモン電極上の第２の基板と、を有し、
前記トランジスタは、半導体層に前記画素電極および前記ソース線が電気的に接続され、
前記画素電極は、絶縁層を挟んで前記第１のコモン電極と対向し、
前記第１のコモン電極は開口を有し、
前記開口は、前記ソース線と重なり、
前記第２のコモン電極は、前記液晶層を挟んで前記第１のコモン電極と対向し、
前記第１のコモン電極および前記第２のコモン電極は、同じ電位であることを特徴とする液晶表示装置。
【請求項２】
画素と、ゲートドライバと、ソースドライバと、コントローラと、を有する液晶表示装置であって、
前記画素は、
トランジスタと、
前記トランジスタ上の画素電極および第１のコモン電極と、
前記画素電極および前記第１のコモン電極上の液晶層と、
前記液晶層上の第２のコモン電極と、を有し、
前記トランジスタは、ゲートにゲート線が電気的に接続され、半導体層に前記画素電極とソース線が電気的に接続され、
前記画素電極は、絶縁層を挟んで前記第１のコモン電極と対向し、
前記第１のコモン電極は開口を有し、
前記開口は、前記ソース線と重なり、
前記第２のコモン電極は、前記液晶層を挟んで前記第１のコモン電極と対向し、
前記第１および前記第２のコモン電極は、同じ電位であり、
前記ゲートドライバは、前記ゲート線にゲート信号を出力する機能を有し、
前記ソースドライバは、前記ソース線にデータ信号を出力する機能を有し、
前記コントローラは、前記ゲートドライバおよび前記ソースドライバを制御する機能を有し、
前記コントローラは、前記ゲートドライバおよび前記ソースドライバに対して、１フレーム期間よりも長い期間、前記画素に入力された前記データ信号を保持させる制御機能を有することを特徴とする液晶表示装置。
【請求項３】
請求項２において、
少なくとも２つのリフレッシュレートで、前記画素の書き換えを行うことを特徴とする液晶表示装置。
【請求項４】
請求項２又は請求項３において、
前記画素で保持されている前記データ信号を書き換えた後、表示される画像に変化がない期間、前記画素の前記データ信号の書き換えを停止することを特徴とする液晶表示装置。
【請求項５】
請求項１乃至請求項４のいずれか一において、
前記半導体層は、酸化物半導体であることを特徴とする液晶表示装置。
【請求項６】
請求項１乃至請求項５のいずれか一の液晶表示装置を表示部に備えた電子機器。
【手続補正書】
【提出日】平成29年7月14日(2017.7.14)
【手続補正１】
【補正対象書類名】特許請求の範囲
【補正対象項目名】全文
【補正方法】変更
【補正の内容】
【特許請求の範囲】
【請求項１】
可撓性を有する発光パネルと、
前記発光パネルを支持する第１の支持パネルと、
前記発光パネルを支持する第２の支持パネルと、
前記第１の支持パネルと前記第２の支持パネルを折り畳み可能に接続する第１のヒンジ部と、を有し、
前記第１のヒンジ部は、
第１の軸を中心に回動可能に接続される第１のアームと、
第２の軸を中心に回動可能に接続される第２のアームと、を備え、
前記第１のアームおよび前記第２のアームは、第３の軸を中心に回動可能に接続され、
前記発光パネルは離間した状態で折り畳まれる、発光装置。
【請求項２】
可撓性を有する発光パネルと、
前記発光パネルを支持する第１の支持パネルと、
前記発光パネルを支持する第２の支持パネルと、
前記発光パネルを支持する第３の支持パネルと、
前記第１の支持パネルおよび前記第２の支持パネルを折り畳み可能に接続する第１のヒンジ部および第２のヒンジ部と、
前記第２の支持パネルおよび前記第３の支持パネルを折り畳み可能に接続する第３のヒンジ部および第４のヒンジ部と、を有し、
前記第１のヒンジ部および前記第２のヒンジ部は、
第１の軸を中心に回動可能に接続される第１のアームと、
第２の軸を中心に回動可能に接続される第２のアームと、を備え、
前記第１のアームおよび前記第２のアームは、第３の軸を中心に回動可能に接続され、
前記第３のヒンジ部および前記第４のヒンジ部は、
第４の軸を中心に回動可能に接続される第３のアームと、
第５の軸を中心に回動可能に接続される第４のアームと、を備え、
前記第３のアームおよび前記第４のアームは、第６の軸を中心に回動可能に接続され、
前記発光パネルは、離間した状態で折り畳まれる、発光装置。
【手続補正書】
【提出日】平成28年11月21日(2016.11.21)
【手続補正１】
【補正対象書類名】特許請求の範囲
【補正対象項目名】全文
【補正方法】変更
【補正の内容】
【特許請求の範囲】
【請求項１】
支持体と、下引き層と、感光層と、をこの順に有する電子写真感光体において、
該下引き層は、電子輸送性を有し、
該下引き層が、Ｆｅ、Ｃｏ、Ｎｉ、ＣｕおよびＺｎからなる群より選択される少なくとも１種の金属と有機酸の塩を含有することを特徴とする電子写真感光体。
【請求項２】
前記下引き層が、重合性官能基を有する電子輸送性化合物を含有する組成物の硬化膜である請求項１に記載の電子写真感光体。
【請求項３】
前記下引き層が、重合性官能基を有する電子輸送性化合物と、重合性官能基を有する樹脂と、架橋剤と、を含有する組成物の効果膜である請求項１に記載の電子写真感光体。
【請求項４】
前記下引き層が、電子輸送性化合物を含有する膜である請求項１に記載の電子写真感光体。
【請求項５】
前記有機酸が、一価カルボン酸である請求項１から４のいずれか１項に記載の電子写真感光体。
【請求項６】
前記一価カルボン酸が、炭素数が４以上８以下の脂肪酸である請求項５に記載の電子写真感光体。
【請求項７】
前記塩が、Ｎｉと有機酸の塩およびＺｎと有機酸の塩からなる群より選択される少なくとも１種である請求項１から６のいずれか１項に記載の電子写真感光体。
【請求項８】
前記下引き層中の前記塩の含有量が、前記下引き層の全質量に対して０．１質量％以上５質量％以下である請求項１から７のいずれか１項に記載の電子写真感光体。
【請求項９】
前記下引き層中の前記塩の含有量が、前記下引き層の全質量に対して０．１４質量％以上１．０８質量％以下である請求項１から７のいずれか１項に記載の電子写真感光体。
【請求項１０】
前記下引き層が、金属酸化物粒子を含有しない請求項１から９のいずれか１項に記載の電子写真感光体。
【請求項１１】
請求項１から１０のいずれか１項に記載の電子写真感光体と、帯電手段、現像手段、転写手段およびクリーニング手段からなる群より選択される少なくとも１つの手段とを一体に支持し、電子写真装置に着脱自在であることを特徴とするプロセスカートリッジ。
【請求項１２】
請求項１から１０のいずれか１項に記載の電子写真感光体と、帯電手段、露光手段、現像手段および転写手段を有することを特徴とする電子写真装置。
【請求項１３】
支持体と、電子輸送性を有する下引き層と、感光層と、をこの順に有する電子写真感光体の製造方法であって、
該製造方法が
Ｆｅ、Ｃｏ、Ｎｉ、ＣｕおよびＺｎからなる群より選択される少なくとも１種の金属と有機酸の塩を含有する下引き層用塗布液を用いて塗膜を形成する工程、および、
該塗膜を乾燥させて該下引き層を形成する工程
を有することを特徴とする電子写真感光体の製造方法。
【手続補正２】
【補正対象書類名】明細書
【補正対象項目名】００１１
【補正方法】変更
【補正の内容】
【００１１】
本発明は、支持体と、下引き層と、感光層と、をこの順に有する電子写真感光体において、該下引き層は、電子輸送性を有し、該下引き層が、Ｆｅ、Ｃｏ、Ｎｉ、ＣｕおよびＺｎからなる群より選択される少なくとも１種の金属と有機酸の塩を含有することを特徴とする電子写真感光体に関する。
【手続補正３】
【補正対象書類名】明細書
【補正対象項目名】００１４
【補正方法】変更
【補正の内容】
【００１４】
また、本発明は、支持体と、電子輸送性を有する下引き層と、感光層と、をこの順に有する電子写真感光体の製造方法であって、該製造方法がＦｅ、Ｃｏ、Ｎｉ、ＣｕおよびＺｎからなる群より選択される少なくとも１種の金属と有機酸の塩を含有する下引き層用塗布液を用いて塗膜を形成する工程、および、該塗膜を乾燥させて該下引き層を形成する工程を有することを特徴とする電子写真感光体の製造方法に関する。
【手続補正書】
【提出日】平成29年7月18日(2017.7.18)
【手続補正１】
【補正対象書類名】特許請求の範囲
【補正対象項目名】全文
【補正方法】変更
【補正の内容】
【特許請求の範囲】
【請求項１】
第１の基板と、トランジスタを有する第２の基板と、を有し、前記第１の基板と前記第２の基板が接着層を介して重畳する表示装置であって、前記表示装置は屈曲部を有し、前記屈曲部において、前記第１の基板が内側に位置し、前記第２の基板が外側に位置することを特徴とする表示装置。
【手続補正書】
【提出日】平成29年2月10日(2017.2.10)
【手続補正１】
【補正対象書類名】特許請求の範囲
【補正対象項目名】全文
【補正方法】変更
【補正の内容】
【特許請求の範囲】
【請求項１】
画素電極と、トランジスタと、を有する画素部と、
第１の領域と、第２の領域と、を有する駆動回路部と、を有し、
前記トランジスタは、ゲート絶縁層として機能する領域を有する第１の絶縁層と、前記第１の絶縁層上の第１の酸化物半導体層と、を有し、
前記第１の領域は、第１の配線と、前記第１の配線と交差する第２の配線と、前記第１の絶縁層と、を有し、
前記第２の領域は、第３の配線と、前記第３の配線と交差する第４の配線と、前記第１の絶縁層と、第２の酸化物半導体層と、を有し、
前記第１の配線及び前記第３の配線は、前記トランジスタのゲート電極と同一の層で設けられ、
前記第２の配線及び前記第４の配線は、前記トランジスタのソース電極及びドレイン電極と同一の層で設けられ、
前記第２の酸化物半導体層は、前記第１の酸化物半導体層と同一の層で設けられ、
前記第２の領域における前記第３の配線と前記第４の配線の間の距離は、前記第１の領域における前記第１の配線と前記第２の配線の間の距離よりも長いことを特徴とする表示装置。
【請求項２】
画素電極と、トランジスタと、を有する画素部と、
第１の領域と、第２の領域と、を有する駆動回路部と、を有し、
前記トランジスタは、ゲート絶縁層として機能する領域を有する第１の絶縁層と、前記第１の絶縁層上の第１の酸化物半導体層と、前記第１の酸化物半導体層上の第２の絶縁層と、を有し、
前記第１の領域は、第１の配線と、前記第１の配線と交差する第２の配線と、前記第１の絶縁層と、を有し、
前記第２の領域は、第３の配線と、前記第３の配線と交差する第４の配線と、前記第１の絶縁層と、第２の酸化物半導体層と、第３の絶縁層と、を有し、
前記第１の配線及び前記第３の配線は、前記トランジスタのゲート電極と同一の層で設けられ、
前記第２の配線及び前記第４の配線は、前記トランジスタのソース電極及びドレイン電極と同一の層で設けられ、
前記第２の酸化物半導体層は、前記第１の酸化物半導体層と同一の層で設けられ、
前記第３の絶縁層は、前記第２の絶縁層と同一の層で設けられ、
前記第２の領域における前記第３の配線と前記第４の配線の間の距離は、前記第１の領域における前記第１の配線と前記第２の配線の間の距離よりも長いことを特徴とする表示装置。
【請求項３】
請求項１又は請求項２において、
前記第１の酸化物半導体層及び前記第２の酸化物半導体層は、インジウム及び亜鉛を含むことを特徴とする表示装置。
【請求項４】
請求項１乃至請求項３のいずれか一において、
前記第１の酸化物半導体層及び前記第２の酸化物半導体層は、結晶を含み、
前記結晶のｃ軸は、前記酸化物半導体層の表面の法線ベクトルと平行に配向していることを特徴とする表示装置。
【請求項５】
請求項１乃至請求項４のいずれか一において、
前記第１の配線は、櫛歯形状を有することを特徴とする表示装置。
【請求項６】
請求項１乃至請求項５のいずれか一において、
前記駆動回路部は、さらに、第３の領域を有し、
前記第３の領域は、第５の配線と、第７の配線を介して前記第５の配線と電気的に接続する第６の配線と、を有し、
前記第５の配線は、前記トランジスタの前記ゲート電極と同一の層で設けられ、
前記第６の配線は、前記トランジスタの前記ソース電極及び前記ドレイン電極と同一の層で設けられ、
前記第７の配線は、前記画素電極と同一の層で設けられていることを特徴とする表示装置。
【請求項７】
請求項１乃至請求項６に記載の表示装置を有する電子機器。
【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
ユーザがズーム動作を指示するための操作部と、
画像から被写体を検出する被写体検出手段と、
前記操作部の操作に応じてズーム動作を制御する制御手段とを有し、
前記制御手段が被写体の位置に基づいてズーム動作を制御する第１のモードと、被写体の大きさに基づいてズーム動作を制御する第２のモードを実行可能であって、
前記制御手段は、前記被写体検出手段による被写体の検出状態とズーム動作の制御状態との少なくともいずれかに基づいて、ズーム動作の開始及び停止の条件を変更することを特徴とする撮像装置。
【請求項２】
前記制御手段は、前記被写体検出手段により検出された被写体が画像内に設定された第１の領域外に含まれる場合、前記第１のモードを実行することを特徴とする請求項１に記載の撮像装置。
【請求項３】
前記制御手段は、前記第１のモードで広角側へのズーム動作を行ってから望遠側へのズーム動作を完了するまでの間、前記第２のモードの実行を制限することを特徴とする請求項１又は２に記載の撮像装置。
【請求項４】
前記第１のモードにおいて、前記制御手段は、前記被写体検出手段により検出された被写体が画像内の第１の領域外に含まれる場合、ズーム位置を広角側の第１のズーム位置に移動するよう制御するとともに、ズーム移動前のズーム位置を第２のズーム位置に設定し、前記第１のズーム位置において、前記被写体検出手段により検出された被写体が画像内の第２の領域内に包含される場合、ズーム位置を前記第２のズーム位置に移動するよう制御することを特徴とする請求項１乃至３のいずれか１項に記載の撮像装置。
【請求項５】
前記第１の領域は、前記撮像装置の姿勢または撮影状態に応じて変更されることを特徴とする請求項４に記載の撮像装置。
【請求項６】
前記第２の領域は、前記撮像装置の姿勢または撮影状態に応じて変更されることを特徴とする請求項４又は５に記載の撮像装置。
【請求項７】
前記第１のモードで望遠側にズーム動作を行っている際に、前記被写体検出手段により被写体が検出されなかった場合、前記制御手段は、ズーム位置を前記第２のズーム位置に移動してからズーム動作を停止するよう制御することを特徴とする請求項４乃至６のいずれか１項に記載の撮像装置。
【請求項８】
前記第１のモードでズーム動作を行っている際に、前記被写体検出手段により検出された被写体のサイズが基準サイズに対して所定の変化量以内になった場合、前記制御手段は、ズーム動作を停止するよう制御することを特徴とする請求項４乃至７のいずれか１項に記載の撮像装置。
【請求項９】
前記第２のモードにおいて、前記制御手段は、前記被写体検出手段により検出された被写体のサイズが基準サイズに対して所定の変化量を超えて変化した場合、当該被写体のサイズが前記基準サイズに近づく方向にズーム位置を移動するよう制御することを特徴とする請求項１乃至８のいずれか１項に記載の撮像装置。
【請求項１０】
前記第２のモードにおいて、前記被写体検出手段により検出された被写体のサイズが前記基準サイズに対して所定の変化量を超えて小さく変化した場合、前記制御手段は、さらに当該被写体が画像内の第３の領域に包含されたら、ズーム位置を望遠側に移動するよう制御することを特徴とする請求項９に記載の撮像装置。
【請求項１１】
前記第２のモードにおいて、前記被写体検出手段により検出された被写体の向きに応じて、前記被写体検出手段により検出された被写体のサイズを所定の倍率分変更することを特徴とする請求項９又は１０に記載の撮像装置。
【請求項１２】
前記第２のモードにおいて、前記被写体検出手段により検出された被写体の向きが所定の角度よりも大きい場合、前記被写体検出手段により検出された被写体のサイズが前記基準サイズに対して前記所定の変化量を超えて変化しても、ズーム位置を移動するよう制御しないことを特徴とする請求項９乃至１１のいずれか１項に記載の撮像装置。
【請求項１３】
前記第２のモードでズーム動作を行っている際に、前記被写体検出手段により被写体が検出されなかった場合、前記制御手段は、所定量分のズーム動作を行ってからズーム動作を停止するよう制御することを特徴とする請求項９乃至１２のいずれか１項に記載の撮像装置。
【請求項１４】
前記第２のモードでズーム動作を行っている際に、前記被写体検出手段により検出された被写体のサイズが前記基準サイズに対して前記所定の変化量以内になった場合、前記制御手段は、ズーム動作を停止するよう制御することを特徴とする請求項９乃至１３のいずれか１項に記載の撮像装置。
【請求項１５】
前記制御手段は、前記操作部を介して第１の操作が行われた場合、前記第１のモード又は前記第２のモードのいずれかを実行し、前記操作部を介して前記第１の操作と異なる第２の操作が行われた場合、第３のモードを実行し、
前記第３のモードにおいて、前記制御手段は、前記第２の操作に応じてズーム位置を広角側に移動するとともに、移動前のズーム位置を第３のズーム位置に設定し、さらに第３の操作が行われたら、ズーム位置を前記第３のズーム位置に移動するよう制御することを特徴とする請求項１乃至１４のいずれか１項に記載の撮像装置。
【請求項１６】
前記制御手段は、前記第１のモード又は前記第２のモードを実行中に前記操作部を介して前記第２の操作が行われた場合、前記第３のモードを実行することを特徴とする請求項１５に記載の撮像装置。
【請求項１７】
ユーザがズーム動作を指示するための操作部を有する撮像装置の制御方法であって、
画像から被写体を検出する被写体検出ステップと、
前記操作部の操作に応じてズーム動作を制御する制御ステップとを有し、
前記制御ステップにおいて、被写体の位置に基づいてズーム動作を制御する第１のモードと、被写体の大きさに基づいてズーム動作を制御する第２のモードを実行可能であって、前記被写体検出ステップによる被写体の検出状態とズーム動作の制御状態との少なくともいずれかに基づいて、ズーム動作の開始及び停止の条件を変更することを特徴とする撮像装置の制御方法。
【請求項１８】
請求項１７に記載の撮像装置の制御方法をコンピュータに実行させるように構成されていることを特徴とする撮像装置の制御プログラム。
【請求項１９】
請求項１８に記載の撮像装置の制御プログラムを記憶していることを特徴とする記憶媒体。
【手続補正２】
【補正対象書類名】明細書
【補正対象項目名】０００７
【補正方法】変更
【補正の内容】
【０００７】
上記目的を達成するために、第１の本発明は、ユーザがズーム動作を指示するための操作部と、画像から被写体を検出する被写体検出手段と、前記操作部の操作に応じてズーム動作を制御する制御手段とを有する撮像装置であって、前記制御手段が被写体の位置に基づいてズーム動作を制御する第１のモードと、被写体の大きさに基づいてズーム動作を制御する第２のモードを実行可能であって、前記制御手段は、前記被写体検出手段による被写体の検出状態とズーム動作の制御状態との少なくともいずれかに基づいて、ズーム動作の開始及び停止の条件を変更することを特徴とする。
【手続補正書】
【提出日】平成29年6月12日(2017.6.12)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
第１の絶縁膜と、
前記第１の絶縁膜上の第１の酸化物半導体膜と、
前記第１の酸化物半導体膜上の第２の酸化物半導体膜と、
前記第１の絶縁膜上の第１の導電膜および第２の導電膜と、
前記第２の酸化物半導体膜上、前記第１の導電膜上および第２の導電膜上の第３の酸化物半導体膜と、
前記第３の酸化物半導体膜上の第２の絶縁膜と、
前記第２の絶縁膜上の第３の導電膜と、を有し、
前記第２の酸化物半導体膜は、チャネル形成領域を有し、
前記第１の導電膜および前記第２の導電膜のそれぞれは、前記第２の酸化物半導体膜の第１の側面及び前記第１の側面に対向する第２の側面と接し、且つ前記第２の酸化物半導体膜の上面とは接せず、
前記第３の導電膜は、前記第２の酸化物半導体膜の前記第１の側面及び前記第２の側面とは対抗しない第３の側面及び第４の側面に面していることを特徴とする半導体装置。
【請求項２】
請求項１において、
前記第３の酸化物半導体膜は、前記第２の酸化物半導体膜の前記第３の側面及び前記第４の側面に接することを特徴とする半導体装置。
【請求項３】
請求項１又は請求項２において、
前記第２の酸化物半導体膜の上面の全部が、前記第３の酸化物半導体膜と接することを特徴とする半導体装置。
【請求項４】
請求項１乃至３のいずれか一において、
チャネル長方向において、前記第３の酸化物半導体膜の長さが、前記第１の酸化物半導体膜および前記第２の酸化物半導体膜のそれぞれの長さよりも大きいことを特徴とする半導体装置。
【請求項５】
請求項１乃至４のいずれか一において、
前記第３の酸化物半導体膜及び前記第２の絶縁膜の形状は、前記第３の導電膜の形状と同じであることを特徴とする半導体装置。
【請求項６】
請求項１乃至５のいずれか一において、
前記第３の酸化物半導体膜は、インジウム、ガリウム、および亜鉛を含むことを特徴とする半導体装置。
【手続補正書】
【提出日】平成29年7月20日(2017.7.20)
【手続補正１】
【補正対象書類名】特許請求の範囲
【補正対象項目名】全文
【補正方法】変更
【補正の内容】
【特許請求の範囲】
【請求項１】
第１の導電層を有し、
前記第１の導電層の上方に第１の絶縁層を有し、
前記第１の絶縁層の上方に酸化物半導体層を有し、
前記酸化物半導体層の上方に第２の導電層を有し、
前記酸化物半導体層の上方に第３の導電層を有し、
前記第２の導電層の上方と前記第３の導電層の上方とに第２の絶縁層を有し、
前記第２の絶縁層の上方に第４の導電層を有し、
前記第２の絶縁層の上方に第５の導電層を有し、
前記第４の導電層の上方と前記第５の導電層の上方とに第３の絶縁層を有し、
前記第３の絶縁層の上方に第６の導電層を有し、
前記酸化物半導体層は、第１のトランジスタの第１のチャネル形成領域として機能する領域を有し、
前記酸化物半導体層は、第２のトランジスタの第２のチャネル形成領域として機能する領域を有し、
前記第１の導電層は、前記第１のトランジスタの第１のゲート電極として機能する領域を有し、
前記第１の導電層は、前記第２のトランジスタの第２のゲート電極として機能する領域を有し、
前記第２の導電層は、前記第１のトランジスタのソース電極又はドレイン電極の一方として機能する領域を有し、
前記第２の導電層は、前記第２のトランジスタのソース電極又はドレイン電極の一方として機能する領域を有し、
前記第３の導電層は、前記第１のトランジスタのソース電極又はドレイン電極の他方として機能する領域を有し、
前記第３の導電層は、前記第２のトランジスタのソース電極又はドレイン電極の他方として機能する領域を有し、
前記第４の導電層は、前記第１のトランジスタの第３のゲート電極として機能する領域を有し、
前記第４の導電層は、前記第２のトランジスタの第４のゲート電極として機能する領域を有し、
前記第２の導電層は、第１のオープニングを有し、
前記第４の導電層は、第２のオープニングを有し、
前記第３の導電層は、前記第１のオープニング及び前記第２のオープニングと重なる領域を有し、
前記第６の導電層は、前記第５の導電層を介して、前記第３の導電層と電気的に接続されており、
前記第５の導電層は、前記第１のオープニング及び前記第２のオープニングと重なる領域を有することを特徴とする半導体装置。
【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
Ｃｙｓｔｅｉｎｅ−ｇｌｕｔａｔｈｉｏｎｅ、２−Ａｍｉｎｏａｄｉｐｉｃ  ａｃｉｄ及びＧｕａｎｏｓｉｎｅから選ばれる１以上の分子からなる、オキサリプラチン又はその塩とフルオロウラシル又はその塩を含む抗がん剤の感受性判定マーカー。
【請求項２】
オキサリプラチン又はその塩とフルオロウラシル又はその塩を含む抗がん剤の感受性を判定する目的で、検体中の請求項１記載の物質を測定する方法。
【請求項３】
検体が、がんを有する被験者由来の生体試料である請求項２記載の方法。
【請求項４】
検体が、オキサリプラチン又はその塩とフルオロウラシル又はその塩を含む抗がん剤を投与された、がんを有する被験者由来の生体試料である請求項２又は３記載の方法。
【請求項５】
検体中の請求項１記載の物質を測定するためのプロトコールを含むことを特徴とする請求項２〜４のいずれか１項記載の方法を実施するためのキット。
【請求項６】
検体が、がんを有する被験者由来の生体試料である請求項５記載のキット。
【請求項７】
検体が、オキサリプラチン又はその塩とフルオロウラシル又はその塩を含む抗がん剤を投与された、がんを有する被験者由来の生体試料である請求項５又は６記載のキット。
【請求項８】
請求項１記載の物質の発現変動を指標とするオキサリプラチン又はその塩とフルオロウラシル又はその塩を含む抗がん剤に対する感受性亢進剤のスクリーニング方法。
【手続補正書】
【提出日】平成29年10月20日(2017.10.20)
【手続補正１】
【補正対象書類名】特許請求の範囲
【補正対象項目名】請求項７
【補正方法】変更
【補正の内容】
【請求項７】
試験空間を有する試験槽と、
前記試験空間を前記測定空間として配置された請求項１から６の何れか１項に記載の湿度計と、を備えている環境試験装置。
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
眼内または眼上に存在させる、眼用装置であって、
前方湾曲光学部と、
前記前方湾曲部と結合した後方湾曲光学部であって、それらの間に空洞を形成する、後方湾曲光学部と、
第１の屈折率を有する流体と、
第２の屈折率を有するガスと、
前記空洞と流体連結した液溜めであって、流体収容に利用可能な前記液溜めの内部容積を変更するように動作可能な材料を含む、液溜めと、
流体収容に利用可能な前記液溜めの前記内部容積を変更するように動作可能な前記材料と連通して位置し、電界を確立するように構成された、第１の電極と、を含み、
前記液溜めの前記内部容積を変更するように動作可能な前記材料の第１の状態において、流体収容に利用可能な前記液溜めの前記内部容積は低減し、前記空洞は前記流体で満たされ、
前記液溜めの前記内部容積を変更するように動作可能な前記材料の第２の状態において、流体収容に利用可能な前記液溜めの前記内部容積は増加し、前記空洞は前記ガスで満たされる、眼用装置。
【請求項２】
流体収容に利用可能な前記液溜めの前記内部容積を変更するように動作可能な材料は、前記電界の影響下で、その材料形状を変化させる、請求項１に記載の眼用装置。
【請求項３】
流体収容に利用可能な前記液溜めの前記内部容積を変更するように動作可能な前記材料は、電気活性ポリマー材料を含む、請求項２に記載の眼用装置。
【請求項４】
前記電気活性ポリマー材料は、ポリフッ化ビニリデン、ポリ（アクリル酸）、ポリピロール、および電極結合カーボンナノチューブを含む、請求項３に記載の眼用装置。
【請求項５】
前記眼用装置は、コンタクトレンズである、請求項４に記載の眼用装置。
【請求項６】
非光学部における液溜めに流体連結した光学部における空洞を有する、眼内または眼上に存在するように構成された、本体と、
前記液溜め内に位置付けられ、電界または電位の少なくとも１つに応答して変形する、材料と、
前記材料と電気的連通をする、電極と、
前記電極と電気的連通をする、電源と、
流体と、を含み、
前記材料の変形が、前記流体を、前記液溜めから前記空洞へと押し出す、眼用装置。
【請求項７】
前記液溜めは、円形である、請求項６に記載の眼用装置。
【請求項８】
前記材料は、電気活性ポリマーである、請求項６に記載の眼用装置。
【請求項９】
前記電気活性ポリマー材料は、ポリフッ化ビニリデン、ポリ（アクリル酸）、ポリピロール、および電極結合カーボンナノチューブを含む、請求項８に記載の眼用装置。
【請求項１０】
前記眼用装置は、コンタクトレンズである、請求項９に記載の眼用装置。
【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
帯を挿し通すための孔（２）を必要数に応じて設け、好ましくは滑り止め材（４）を備えた挟み部材（１）と、片面に滑り止め材（４）を備え、他面に好ましくは雌雄混合型面ファスナーを備えた柔軟な帯（３）によって構成されることを特徴とする挟む幅と力を自在に調整可能な挟み留め具。
【請求項２】
好ましくは滑り止め材（４）を備えた挟み部材（１）の対象物と接しない面に、対象物について識別できる説明メモ（６）と透明カバー（７）を格納可能な穴（５）を設けた請求項１の挟み留め具。
【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
食材に対して複数の平行な筋状の切り込みを入れるための、複数の立刃を備える切込み用刃部材を備え、
前記切込み用刃部材と異なる位置に設置され、前記食材の表面を削ぎ落とすための削落とし用刃部材を備え、
前記切込み用刃部材は、前記削落とし用刃部材が取り付けられた面の反対面に取り付けられている、
ことを特徴とする調理器具。
【請求項２】
請求項１に記載の調理器具であって、
前記削落とし用刃部材は、細長い開口の一方の側に、刃を備え、他方の側に、筋状の切り込みを入れるための複数の立刃を備えている、
ことを特徴とする調理器具。
【請求項３】
請求項１に記載の調理器具であって、
前記切込み用刃部材は、前記削落とし用刃部材と隙間なく隣り合う状態で設けられている、
ことを特徴とする調理器具。
【請求項４】
請求項１〜３のいずれか一項に記載の調理器具であって、
前記削落とし用刃部材は、ストレート刃、三角刃、波刃、のうちの何れかである。
ことを特徴とする調理器具。
【請求項５】
請求項１に記載の調理器具の前記切込み用刃部材を用いて、食材の面に対して、複数の平行な筋状の切り込みを入れるステップと、
前記調理器具の前記削落とし用刃部材を用いて、前記食材の面を、削落とし、千切りされた食材を得るステップと、
を有する食材の加工方法。
【請求項６】
請求項１に記載の調理器具の前記切込み用刃部材を用いて、食材の面に対して、第一の方向に、複数の平行な筋状の切り込みを入れるステップと、
前記切込み用刃部材を用いて、前記食材の面に対して、前記第一の方向と交差する方向に、複数の平行な筋状の切り込みを入れるステップと、
前記調理器具の前記削落とし用刃部材を用いて、前記食材の面を、削落とし、みじん切りされた食材を得るステップと、
を有する食材の加工方法。
【請求項７】
複数の立刃を備える切込み用刃部材を用いて、食材の面に対して、複数の平行な筋状の切り込みを入れるステップと、
食材の表面を削ぎ落とすための削落とし用刃部材を用いて、前記食材の面を、削落とし、千切りされた食材を得るステップと、
を有する食材の加工方法。
【請求項８】
複数の立刃を備える切込み用刃部材を用いて、食材の面に対して、第一の方向に、複数の平行な筋状の切り込みを入れるステップと、
前記切込み用刃部材を用いて、前記食材の面に対して、前記第一の方向と交差する方向に、複数の平行な筋状の切り込みを入れるステップと、
食材の表面を削ぎ落とすための削落とし用刃部材を用いて、前記食材の面を、削落とし、みじん切りされた食材を得るステップと、
を有する食材の加工方法。
【手続補正書】
【提出日】平成29年1月24日(2017.1.24)
【手続補正１】
【補正対象書類名】特許請求の範囲
【補正対象項目名】全文
【補正方法】変更
【補正の内容】
【特許請求の範囲】
【請求項１】
チーム同士の対戦を制御するサーバ装置であって、
各プレイヤーが操作する各ゲーム装置から、マッチングパラメータを含むマッチング要求を受信する受信手段と、
前記マッチングパラメータに、他のプレイヤーとのグループ化を示すグループ情報が含まれる場合、前記グループ情報に基づいて複数のプレイヤーを含むグループを編成する第１編成手段と、
前記マッチングパラメータ及び前記グループに基づいて、対戦する各チームを編成する第２編成手段と、
前記第２編成手段により編成されたチーム同士の対戦を実行する実行手段と、
前記マッチングパラメータに関するマッチング条件を用いて前記各チームが編成される場合、前記チームに前記グループが含まれるとき、前記マッチング条件を補正する補正手段と、を有し、
前記第２編成手段は、
補正されたマッチング条件を用いて、対戦するチームを編成する、
サーバ装置。
【請求項２】
前記第２編成手段は、
前記グループを含むチームの相手チームに、他のグループを含める、請求項１記載のサーバ装置。
【請求項３】
前記第２編成手段は、
前記グループ情報に、対戦するチームの組み合わせを特定する第１情報及びチームを特定する第２情報が含まれる場合、前記第１情報及び前記第２情報に基づいて、対戦するチームを編成する、請求項１又は２記載のサーバ装置。
【請求項４】
前記第２編成手段は、
前記マッチングパラメータに、前記グループを含むチームとの対戦を希望する第３情報が含まれる場合、該第３情報を含むマッチング要求を送信したプレイヤーを含むチームと、前記グループを含むチームとを対戦させるようにチーム編成を行う、請求項１乃至３いずれか一項に記載のサーバ装置。
【請求項５】
チーム同士の対戦を制御するプログラムであって、
コンピュータに、
各プレイヤーが操作する各ゲーム装置から、マッチングパラメータを含むマッチング要求を受信する受信ステップと、
前記マッチングパラメータに、他のプレイヤーとのグループ化を示すグループ情報が含まれる場合、前記グループ情報に基づいて複数のプレイヤーを含むグループを編成する第１編成ステップと、
前記マッチングパラメータ及び前記グループに基づいて、対戦する各チームを編成する第２編成ステップと、
編成されたチーム同士の対戦を実行する実行ステップと、
前記マッチングパラメータに関するマッチング条件を用いて前記各チームが編成される場合、前記チームに前記グループが含まれるとき、前記マッチング条件を補正するステップと、を実行させ、
前記第２編成ステップは、
補正されたマッチング条件を用いて、対戦するチームを編成する、
プログラム。
【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
遊技者に有利な特別遊技を行うか否かを判定する特別遊技判定手段と、
前記特別遊技判定手段による判定結果に基づいて、所定の演出を制御する演出制御手段とを備え、
前記演出制御手段は、
複数種類の特定演出のうちの何れかを実行した後、前記判定結果を報知する報知演出を実行する第１演出制御手段と、
前記特定演出が実行されているときに、当該特定演出の種類に応じた付加演出を実行する第２演出制御手段とを有し、
前記第２演出制御手段は、
実行している前記付加演出を、前記特別遊技が行われる期待度に応じた特別示唆演出に変更するときと、当該特別示唆演出に変更しないときとがある、遊技機。
【請求項２】
遊技者に有利な特別遊技を行うか否かを判定する特別遊技判定手段と、
前記特別遊技判定手段による判定結果に基づいて、所定の演出を制御する演出制御手段とを備え、
前記演出制御手段は、
所定の特定演出を実行した後、前記判定結果を報知する報知演出を実行する第１演出制御手段と、
前記特定演出が実行されているときに、当該特定演出に応じた付加演出を実行する第２演出制御手段とを有し、
前記第１演出制御手段は、
前記特定演出として、スピーカーから当該特定演出に応じた楽曲を出力することが可能であり、
前記第２演出制御手段は、
スピーカーから出力される前記楽曲の情報を示唆する前記付加演出を実行し、
所定の変更条件が成立すると、実行している前記付加演出を、前記特別遊技が行われる期待度が高いことを示唆する演出に変更する、遊技機。
【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
始動条件の成立により判定情報を取得する判定情報取得手段と、
前記判定情報取得手段により取得された判定情報に基づいて、遊技者に有利な特別遊技を行うか否かの特別遊技判定を行う特別遊技判定手段と、
前記判定情報取得手段により取得された判定情報を記憶する記憶手段と、
前記記憶手段に記憶されている判定情報に対して前記特別遊技判定が行われる前に、前記特別遊技を行うか否かの事前判定を行う事前判定手段と、
通常の演出モードと特定の演出モードとを含む複数の演出モードのうち何れかの演出モードを設定するとともに、設定している演出モードで前記特別遊技判定の判定結果を報知する報知演出を実行する演出制御手段とを備え、
前記演出制御手段は、
前記通常の演出モードを設定しているときに、前記記憶手段に記憶されている判定情報が、前記事前判定において前記特別遊技を行うと判定された第１判定情報である場合または前記事前判定において前記特別遊技を行わないと判定された第２判定情報である場合、少なくとも当該第１判定情報または第２判定情報に対して前記特別遊技判定が行われるまで、前記特定の演出モードを設定可能であり、
前記記憶手段に記憶されている判定情報が前記第２判定情報であることに基づいて前記特定の演出モードが設定された場合、当該第２判定情報よりも後に前記記憶手段に記憶された判定情報に対して前記特別遊技判定が行われた後において、前記特定の演出モードを継続して設定するときと、前記特定の演出モードを継続して設定しないときとがあり、
前記特定の演出モードが継続して設定されないときには、前記特定の演出モードが継続して設定されるときよりも前記報知演出において前記特別遊技が行われる期待度が高い高期待度演出を実行し易い、遊技機。
【請求項２】
前記演出制御手段は、前記特定の演出モードが継続して設定された後に行なわれた前記事前判定の判定結果に基づいて、前記通常の演出モードを設定可能である、請求項１に記載の遊技機。
【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
遊技者に有利な特別遊技を行うか否かを判定する特別遊技判定手段と、
所定の演出を制御する演出制御手段とを備え、
前記演出制御手段は、
第１表示領域において複数種類の特定演出画像のうちの何れかを表示させる特定演出を実行する第１演出制御手段と、
前記特定演出が実行されているときに、前記第１表示領域とは異なる第２表示領域において、当該特定演出で表示された特定演出画像の種類に応じた付加演出画像を表示させる付加演出を実行する第２演出制御手段とを有し、
前記第２演出制御手段は、
前記特別遊技判定手段による判定結果に基づいて、前記第２表示領域に表示させている前記付加演出画像を、前記特別遊技が行われる期待度に応じた特別示唆画像に変更するときと、当該特別示唆画像に変更しないときとがある、遊技機。
【請求項２】
遊技者に有利な特別遊技を行うか否かを判定する特別遊技判定手段と、
所定の演出を制御する演出制御手段とを備え、
前記演出制御手段は、
第１表示領域において所定の特定演出画像を表示させる特定演出を実行する第１演出制御手段と、
前記特定演出が実行されているときに、前記第１表示領域とは異なる第２表示領域において、当該特定演出の内容を示唆する付加演出画像を表示させる付加演出を実行する第２演出制御手段とを有し、
前記第１演出制御手段は、
前記特定演出として、前記第１表示領域において前記特定演出画像を表示させるとともに、スピーカーから当該特定演出に応じた楽曲を出力することが可能であり、
前記第２演出制御手段は、
スピーカーから出力される前記楽曲の情報を含む前記付加演出画像を表示させ、
所定の変更条件が成立すると、前記特別遊技判定手段による判定結果に基づいて、前記第２表示領域に表示させている前記付加演出画像を、前記特別遊技が行われる期待度が高いことを示唆する画像に変更する、遊技機。
【手続補正書】
【提出日】平成29年2月8日(2017.2.8)
【手続補正１】
【補正対象書類名】特許請求の範囲
【補正対象項目名】全文
【補正方法】変更
【補正の内容】
【特許請求の範囲】
【請求項１】
Ｘ線撮影により得られたＸ線画像を処理する画像処理装置であって、
保持手段に保持されている切り出し情報に基づいて、前記Ｘ線画像から部分画像を切り出すための切り出し領域を設定する設定手段と、
前記Ｘ線画像から前記設定手段により設定された切り出し領域の画像を切り出す切り出し手段と、
前記切り出し手段により実行された切り出しの切り出し領域を引き継ぐように、前記保持手段に保持されている切り出し情報を更新する更新手段と、を備えることを特徴とする画像処理装置。
【請求項２】
前記更新手段は、前記切り出し手段により最後に実行された切り出しの切り出し領域を引き継ぐように、前記保持手段に保持されている切り出し情報を更新することを特徴とする請求項１に記載の画像処理装置。
【請求項３】
前記設定手段は、複数の運用モードのうちの第１の運用モードが設定されている場合には前記切り出し情報に基づいて切り出し領域を設定し、前記第１の運用モードとは異なる第２の運用モードが設定されている場合には該第２の運用モードに対して予め定められている切り出し領域を設定することを特徴とする請求項１または２に記載の画像処理装置。
【請求項４】
前記第１の運用モードは、複数の被検者の所定の部位をＸ線撮影して得られた複数のＸ線画像から切り出し領域の画像を切り出す検診モードであることを特徴とする請求項３に記載の画像処理装置。
【請求項５】
前記切り出し情報は、前記切り出し手段が該切り出し情報を用いて最後に切り出しを実行した日時の情報を含み、
前記設定手段は、前記切り出し情報に含まれている前記日時の情報が所定の条件を満たす場合に、前記切り出し情報が示す切り出し領域を前記Ｘ線画像に設定することを特徴とする請求項１乃至４のいずれか１項に記載の画像処理装置。
【請求項６】
前記切り出し情報は撮影部位を示す情報を含み、
前記設定手段は、前記Ｘ線画像の撮影部位が前記切り出し情報が示す撮影部位と一致する場合に、前記切り出し情報によって示される切り出し領域を設定することを特徴とする請求項１乃至５のいずれか１項に記載の画像処理装置。
【請求項７】
前記切り出し手段により用いられた切り出し情報を次のＸ線画像に用いないことを示すユーザ指示を受け付ける受け付け手段と、
前記ユーザ指示に応じて前記更新手段よる更新を禁止する禁止手段と、をさらに備えることを特徴とする請求項１乃至６のいずれか１項に記載の画像処理装置。
【請求項８】
前記Ｘ線画像に前記設定された切り出し領域を重ねて表示する表示手段と、
ユーザの操作に応じて、前記表示手段が表示している切り出し領域を変更する変更手段と、をさらに備えることを特徴とする請求項１乃至６のいずれか１項に記載の画像処理装置。
【請求項９】
前記変更手段による切り出し領域の変更量が閾値を超える場合に、前記更新手段による更新を禁止する禁止手段をさらに備えることを特徴とする請求項８に記載の画像処理装置。
【請求項１０】
Ｘ線撮影装置により取得されたＸ線画像を処理する画像処理装置であって、
保持手段に保持されている切り出し情報に基づいて、前記Ｘ線画像から部分画像を切り出すための切り出し領域を設定する設定手段と、
前記Ｘ線画像から前記設定手段により設定された切り出し領域の画像を切り出す切り出し手段と、
前記切り出し手段により最後に実行された切り出しの切り出し領域で前記保持手段に保持されている切り出し情報を更新する更新手段と、を備え、
一人の被検者に対してｎ枚の撮影が行われる運用モードにおいて、前記保持手段にはｎ回前までの切り出しに用いられたｎ個の切り出し領域が保持され、
前記設定手段は、前記保持手段に保持されているｎ回前の切り出しに用いられた切り出し情報を用いて切り出し領域を設定することを特徴とする画像処理装置。
【請求項１１】
Ｘ線撮影により得られたＸ線画像を処理する画像処理方法であって、
保持手段に保持されている切り出し情報に基づいて、前記Ｘ線画像から部分画像を切り出すための切り出し領域を設定する設定工程と、
前記Ｘ線画像から、前記設定工程で設定された切り出し領域の画像を切り出す切り出し工程と、
前記切り出し工程で実行された切り出しの切り出し領域を引き継ぐように、前記保持手段に保持されている切り出し情報を更新する更新工程と、を有することを特徴とする画像処理方法。
【請求項１２】
請求項１１に記載された画像処理方法の各工程を、コンピュータに実行させるためのプログラム。
【手続補正２】
【補正対象書類名】明細書
【補正対象項目名】０００７
【補正方法】変更
【補正の内容】
【０００７】
上記の目的を達成するための本発明の一態様による画像処理装置は以下の構成を備える。すなわち、
Ｘ線撮影により得られたＸ線画像を処理する画像処理装置であって、
保持手段に保持されている切り出し情報に基づいて、前記Ｘ線画像から部分画像を切り出すための切り出し領域を設定する設定手段と、
前記Ｘ線画像から前記設定手段により設定された切り出し領域の画像を切り出す切り出し手段と、
前記切り出し手段により実行された切り出しの切り出し領域を引き継ぐように、前記保持手段に保持されている切り出し情報を更新する更新手段と、を備える。